(57)【要約】【課題】携帯電話端末の機種毎の仕様に併せて調整する必要がなく、また、待ち受け・壁紙用の画面上に全体の美観を損ねることなく反復表示データを表示することができる携帯電話端末を提供する。【解決手段】本発明の携帯電話端末は、待ち受け・壁紙画像・文字・記号等の情報を表示する表示手段を備える携帯電話端末であって、待ち受け・壁紙用の画像データを格納する画像データ格納手段と、前記表示手段に表示される待ち受け・壁紙画面上に表示する文字・記号データを格納するテキストデータ格納手段と、前記画像データ格納手段から待ち受け・壁紙用として選択された画像データと、前記テキストデータ格納手段から選択されたテキストデータとを参照して、前記画像データ上において前記テキストデータを表示する位置を算出する表示位置算出手段と、前記表示位置算出手段が算出した位置に前記テキストデータを表示するテキストデータ挿入手段とを備える。【選択図】  図１
2007034567.tif 000002
【特許請求の範囲】
【請求項１】
待ち受け・壁紙画像・文字・記号等の情報を表示する表示手段を備える携帯電話端末であって、
待ち受け・壁紙用の画像データを格納する画像データ格納手段と、
前記表示手段に表示される待ち受け・壁紙画面上に表示する文字・記号データを格納するテキストデータ格納手段と、
前記画像データ格納手段から待ち受け・壁紙用として選択された画像データと、前記テキストデータ格納手段から選択されたテキストデータとを参照して、前記画像データ上において前記テキストデータを表示する位置を算出する表示位置算出手段と、
前記表示位置算出手段が算出した位置に前記テキストデータを表示するテキストデータ挿入手段とを備える携帯電話端末。
【請求項２】
前記表示位置算出手段は、前記画像データ格納部から待ち受け・壁紙用として選択された画像データと、前記テキストデータ格納手段から選択されたテキストデータとを参照して、前記テキストデータを前記画像データ上に表示させるのに必要な面積を算出し、その面積に渡って同一色または類似色が連続している場所を探索して表示させる位置を決定する請求項１に記載の携帯電話端末。
【請求項３】
前記表示位置算出手段は、前記画像データに対してモザイク処理を施すモザイク処理手段と、前記モザイク処理後の画像データに対して各画素の隣の画素との画素値の差である画素差を算出する画素差算出手段と、前記テキストデータを表示させるのに必要な面積内における前記画素差の最大値を記録する最大値記録手段と、画素差を算出する場所をシフトさせて画像データ全体をスキャンする画面スキャン手段と、画面全体のスキャン後に前記最大値記録手段に記録された最大値が最小である場所を前記画像データ上において探索して、前記テキストデータを表示する場所として決定する表示位置探索手段とを備える請求項２に記載の携帯電話端末。
【請求項４】
前記表示位置算出手段は、前記テキストデータを表示させるのに必要な面積内における画素値の距離依存性つまり強弱分布を示す関数をフーリエ変換した関数において、前記フーリエ変換した関数の、任意の値以上の空間波数成分を積算する高空間波数成分算出手段と、前記高空間波数成分を算出する場所をシフトさせて画像データ全体をスキャンする画面スキャン手段と、画面全体のスキャン後に前記高空間波数成分算出手段で算出された値が最小である場所を前記画像データ上において探索して、前記テキストデータを表示する場所として決定する表示位置探索手段とを備える請求項２に記載の携帯電話端末。
【請求項５】
前記表示位置算出手段によって決定された位置の画像データの色情報に基づいて、前記テキストデータの色を選択する色選択手段を備える請求項１から４いずれか一項に記載の携帯電話端末。
【請求項６】
前記テキストデータを表示するタイミングを設定するタイマー手段を備え、
前記テキストデータ挿入手段は、前記タイミングを参照して前記テキストデータを反復表示する請求項１から５いずれか一項に記載の携帯電話端末。
【請求項７】
前記テキストデータ格納手段に格納された特定のテキスト情報を示唆するアイコンを格納するアイコン情報格納手段と、
前記表示位置算出手段によって決定された位置に前記アイコンを表示するアイコン挿入手段と、
前記位置に表示されたアイコンがアクセスされたとき、前記テキストデータを含む吹き出しを表示する吹き出し表示手段と、
を備える請求項１から６いずれか一項に記載の携帯電話端末。
【発明の詳細な説明】
【技術分野】
【０００１】
本発明は、文字情報を表示する機能を備える携帯電話端末に関する。
【背景技術】
【０００２】
一般に、携帯電話端末は小型の薄型表示部を有している。この表示部は、呼び出し先の電話番号のほか、電話帳に登録された氏名・メールアドレス等の個人情報や、電子メールの本文など様々な情報を表示するのに利用されている。
【０００３】
また、近年の携帯電話端末は、データ管理・ゲームなどの様々なアプリケーションを実行することができる。アプリケーションの実行処理はマルチタスク化されており、同時に複数のアプリケーションを実行することができる。例えば、薄型表示部に待ち受け画面を表示させるアプリケーションを実行した状態で、他のアプリケーションを実行すること等ができる。
【０００４】
その中でもスケジュール管理や学習に関するアプリケーションは、情報を入出力する機能以外に、ユーザの利便性を向上させるため、ユーザに予定を思い出させるため待ち受け画面にスケジュールを定期的に表示させたり、または、過去の学習内容を復習させるような文字情報を定期的に表示させる機能を備えることが望まれている。
【０００５】
このように、携帯電話端末の多機能化は進み１つの表示画面に１度に表示させたい情報量が増加している一方で、携帯性の観点から携帯端末に搭載される表示画面の大きさは制限されている。
【０００６】
よって、単に、待ち受け画面と他のアプリケーションの文字情報を合成して表示させたのでは、文字・記号・画像等が重なってしまったり、色が混合してしまったりして視認性が低下してしまう。
【０００７】
そこで、待ち受け画面等の全体画像を、時計・カレンダー・キャラクター等のように全体画像において主要な情報を示す主要画像と、背景等のその他の情報を示す付加画像とに分割して、主要画像の大きさや全体画像に占める割合・位置情報を求め、その位置情報等に基づいて主要画像部分に重ならないように背景画像部分に文字列を表示するように画像情報を提供するゲーム用の情報提供システムが提案されている（特許文献１参照）。
【特許文献１】特開２００１−３５７４０７号公報
【発明の開示】
【発明が解決しようとする課題】
【０００８】
しかしながら、上述の情報提供システムでは、主要画像の大きさや全体画像に占める割合・位置情報を各携帯電話端末の機種毎の仕様にあわせて、その都度調整して入力する必要があり効率が悪い。また、互いに無関係のアプリケーションの情報を同時に表示させる場合、主要画像の大きさや全体画像に占める割合・位置情報をアプリケーション間でやりとりする必要があり、処理が複雑になってしまう。さらに、表示させる文字情報量が増加するにつれて主要画像の面積に制限が生じてしまい、また、主要画像の明度を落とした上で文字情報を重ねて表示すると、画面全体の美観を損ねてしまう。
【０００９】
本発明は、携帯電話端末の機種毎の仕様に併せて調整する必要がなく、また、待ち受け・壁紙用の画面上に全体の美観を損ねることなく反復表示させたい表示データを表示することができる携帯電話端末を提供することを目的とする。
【課題を解決するための手段】
【００１０】
本発明の携帯電話端末は、待ち受け・壁紙画像・文字・記号等の情報を表示する表示手段を備える携帯電話端末であって、待ち受け・壁紙用の画像データを格納する画像データ格納手段と、前記表示手段に表示される待ち受け・壁紙画面上に表示する文字・記号データを格納するテキストデータ格納手段と、前記画像データ格納手段から待ち受け・壁紙用として選択された画像データと、前記テキストデータ格納手段から選択されたテキストデータとを参照して、前記画像データ上において前記テキストデータを表示する位置を算出する表示位置算出手段と、前記表示位置算出手段が算出した位置に前記テキストデータを表示するテキストデータ挿入手段とを備える。
【００１１】
この構成により、携帯端末内に保持されている画像データによってテキストデータを表示する位置を算出・決定できるので、携帯電話端末の機種毎の仕様に併せて調整することや、予め主要画像の大きさや全体画像に占める割合・位置情報を得る必要がなく効率が良い。
【００１２】
また、本発明の携帯電話端末の表示位置算出手段は、前記画像データ格納部から待ち受け・壁紙用として選択された画像データと、前記テキストデータ格納手段から選択されたテキストデータとを参照して、前記テキストデータを前記画像データ上に表示させるのに必要な面積を算出し、その面積に渡って同一色または類似色が連続している場所を探索して表示させる位置を決定する。
【００１３】
この構成により、待ち受け・壁紙用として表示されている画像データにおいて背景のように同一色または類似色が連続している部分にテキストデータが表示されるので、画像データ全体として美観が損なわれない。
【００１４】
また、本発明の携帯電話端末の表示位置算出手段は、前記画像データに対してモザイク処理を施すモザイク処理手段と、前記モザイク処理後の画像データに対して各画素の隣の画素との画素値の差である画素差を算出する画素差算出手段と、前記テキストデータを表示させるのに必要な面積内における前記画素差の最大値を記録する最大値記録手段と、画素差を算出する場所をシフトさせて画像データ全体をスキャンする画面スキャン手段と、画面全体のスキャン後に前記最大値記録手段に記録された最大値が最小である場所を前記画像データ上において探索して、前記テキストデータを表示する場所として決定する表示位置探索手段とを備える。
【００１５】
この構成により、画像データに対してモザイク処理を行って１マスの単位を大きくしてから処理を行うので、画素差の計算の処理量を軽減することができる。
【００１６】
また、本発明の携帯電話端末の表示位置算出手段は、前記テキストデータを表示させるのに必要な面積内における画素値の距離依存性つまり強弱分布を示す関数をフーリエ変換した関数において、前記フーリエ変換した関数の、任意の値以上の空間波数成分を積算する高空間波数成分算出手段と、前記高空間波数成分を算出する場所をシフトさせて画像データ全体をスキャンする画面スキャン手段と、画面全体のスキャン後に前記高空間波数成分算出手段で算出された値が最小である場所を前記画像データ上において探索して、前記テキストデータを表示する場所として決定する表示位置探索手段とを備える。
【００１７】
この構成により、画素値の距離依存性を連続関数のまま計算処理するので、画素数によらない処理が可能となる。
【００１８】
また、本発明の携帯電話端末は、前記表示位置算出手段によって決定された位置の画像データの色情報に基づいて、前記テキストデータの色を選択する色選択手段を備える。
【００１９】
この構成により、画像データの表示位置の背景色を考慮してテキストデータを表示する色を決定できるので、視認性の良い色を選択することができる。
【００２０】
また、本発明の携帯電話端末は、前記テキストデータを表示するタイミングを設定するタイマー手段を備え、前記テキストデータ挿入手段は、前記タイミングを参照して前記テキストデータを反復表示する。
【００２１】
この構成により、画像データ全体を表示させる時間を設けることができるので、待ち受け・壁紙の全体を観賞することができる。
【００２２】
また、本発明の携帯電話端末は、前記テキストデータ格納手段に格納された特定のテキスト情報を示唆するアイコンを格納するアイコン情報格納手段と、前記表示位置算出手段によって決定された位置に前記アイコンを表示するアイコン挿入手段と、前記位置に表示されたアイコンがアクセスされたとき、前記テキストデータを含む吹き出しを表示する吹き出し表示手段とを備える。
【００２３】
この構成により、画像データと重なって表示されるものが表示面積の小さいアイコンとなるので、テキストデータを表示するのに比して、画像データの面積を制限せず、画像データ全体として美観が損なわれない。
【発明の効果】
【００２４】
本発明の携帯電話端末によれば、携帯電話端末の機種毎の仕様に併せて調整する必要がなく、また、待ち受け・壁紙用の画面上に全体の美観を損ねることなく文字情報等の反復表示データを表示することができる。
【発明を実施するための最良の形態】
【００２５】
以下、本発明に係る実施の形態について図面を参照して詳細に説明する。
【００２６】
（実施の形態１）
図１は、本実施の形態１の携帯電話端末の画面表示処理部１００の概略構成図である。
【００２７】
本実施の形態１の携帯電話端末の画面表示処理部１００は、待ち受け・壁紙等の画像データを格納する画像データ格納部１０１と、常時あるいは定期的に反復表示させるテキストデータを格納する反復表示データ格納部１０２と、データ管理・ゲームなどの様々なアプリケーションを実行するアプリケーションプログラム実行部１０３と、待ち受け・壁紙の選択や、待ち受け・壁紙内において文字情報を反復表示させる位置の算出、文字色の決定等を行う壁紙表示制御部１０４と、壁紙表示制御部１０４と反復表示データ格納部１０２に対してユーザの要求などの入出力制御する入出力制御部１０９とを備える。
【００２８】
画像データ格納部１０１は、携帯電話端末の待ち受け・壁紙用の画像として記録された静止画像や動画像を格納している。この画像は、予め携帯電話端末に記録されている画像だけでなく、カメラ等で撮影した画像データや、ネットワークからダウンロードした画像であっても良い。
【００２９】
反復表示データ格納部１０２は、スケジュール管理用アプリケーションにおける予定情報や、学習アプリケーションにおける復習したい学習内容等を表す文字情報である。この文字情報は、メインプログラムの入出力機能とは別であって、常時あるいは定期的に表示させることで、ユーザの忘却を防止するのに役立つ文字情報であれば良い。
【００３０】
アプリケーションプログラム１０３は、画像データ格納部１０１から待ち受け・壁紙用の画像データを選択し表示する待ち受け画像アプリケーション（以下、アプリＡ）やスケジュール管理用アプリケーション、学習用アプリケーション（以下、アプリＢ）など様々なアプリケーションを実行する。
【００３１】
壁紙表示制御部１０４は、待ち受け・壁紙用の画像データを選択する画像選択部１０５と、反復表示データ格納部１０２に格納された反復表示対象の文字情報を待ち受け・壁紙画像上に表示させるのに必要な面積を算出し、その面積に渡って同一色または類似色が連続している場所を探索して反復表示対象の文字情報を表示する位置を決定する文字表示位置算出方法を実行する表示位置算出部１０６と、視認性を考慮して表示する文字の色を選択する文字色選択部１０７と、表示位置算出部１０６が算出した位置に文字を挿入する文字挿入部１０８とを備える。
【００３２】
文字表示位置算出方法としては、例えば、（１）文字表示場所における各画素の画素値の最大値と最小値の差が一定値以下（あるいは最小）である場所を探索する方法、（２）文字表示場所における各画素の隣の画素との画素値の差、つまり画素差が一定値以下である（あるいは差の最大値が最小である）場所を探索する方法、（３）文字表示場所内における各画素の画素値の水平・垂直方向の距離依存性を抽出し、フーリエ変換して高調波成分の全体に占める割合がある一定値以下（あるいは最小）である場所を探索する方法などが挙げられる。
【００３３】
なお、画素値は、画素の各色成分（Ｒ、Ｇ、Ｂ）についての計算でも良く、また、計算処理が簡易に済む処理であれば他の計算でも良い。
【００３４】
本実施の形態１は、上述の（２）の表示位置算出方法を実行する形態である。図２（ａ）に示すように、表示位置算出部１０６は、画像選択部１０５が待ち受け・壁紙用の画像として選択した画像（画像Ａ）に対してモザイク処理を施すモザイク処理部２０１と、ある特定の場所あるいはユーザが予め設定した場所において、各画素の隣の画素との画素差を算出する画素差算出部２０２と、画素差算出部２０２が算出した各画素の隣の画素との画素差の最大値を記録する最大値記録部２０３と、最初に画素差を算出した場所からモザイク処理後の１マス毎にシフトさせて全画面スキャンする全画面スキャン部２０４と、最大値記録部２０３が記録している最大値が最小である場所を探索する探索部２０５とを備えている。
【００３５】
なお、表示位置算出部は、上述の（１）、（３）の表示位置算出方法を実行してもよい。例えば（３）を実行する場合、表示位置算出部１０６は、図２（ｂ）に示すように、テキストデータを表示させるのに必要な面積内における画素値の距離依存性つまり強弱分布を示す関数をフーリエ変換した関数において、フーリエ変換した関数の、任意の値以上の空間波数成分を積算する高空間波数成分算出部２０６と、前記高空間波数成分を算出する場所をシフトさせて画像データ全体をスキャンする全画面スキャン部２０７と、画面全体のスキャン後に前記高空間波数成分算出手段で算出された値が最小である場所を前記画像データ上において探索して、前記テキストデータを表示する場所として決定する探索部２０８とを備える構成となる。
【００３６】
この構成により、画素値の距離依存性を連続関数のまま計算処理するので、画素数によらない処理が可能となる。
【００３７】
また、本実施の形態１の携帯電話端末は、様々な情報を表示する小型の薄型表示部を有しており、図４の各図に示すように、待ち受け・壁紙用の画像データや反復表示データが表示される。
【００３８】
次に、本実施形態１の携帯電話端末の動作例について説明する。図３は携帯電話端末の動作例を示すフローチャートである。このフローチャートは、本実施の形態１の携帯電話端末が待ち受け・壁紙を選択し、その待ち受け画面上に学習プログラムで反復して表示させたい文字情報を表示させる位置を決定して、その場所に文字を表示するまでの処理手順を説明する。
【００３９】
ステップＳ１０１において、ユーザの選択動作を受け、画像選択部１０５は画像データ格納部１０１から待ち受け・壁紙用の画像データを選択する。ここでは、図４（ａ）に示す画像データ（以下、画像データＡ）を選択したものとする。
【００４０】
次に、ステップＳ１０２において、ユーザの選択動作を受け、表示位置算出部１０６は反復表示データ格納部１０２からユーザが反復表示させたいデータ・文字情報（ここでは、I’ve been to Nagoya）を選択し、表示するのに必要な面積情報を入手する。なお、反復表示データは学習プログラムが、ユーザの習熟度に応じて自動選択してもよい。
【００４１】
以降、ステップＳ１０３からＳ１０８までは、反復表示させたい文字情報を表示する位置を探索する文字表示位置算出方法を実行する処理である。
【００４２】
ステップＳ１０３において、モザイク処理部２０１が画像データＡに対してモザイク処理を施す。これにより、全体の処理量を削減することができる。図４（ｂ）にモザイク処理が施された画像データＡを示す。
【００４３】
次に、ステップＳ１０４において、画素差算出部２０２が「I’ve been to Nagoya」を表示するのに必要な面積を一つの領域（図４（ｃ）で示すＢの領域）として、ある特定の場所あるいはユーザが予め設定した場所から、各画素の隣の画素との画素差を全て算出する。本処理では、図４（ｃ）に示すように画像データＡの左上から画素差の算出を開始している。
【００４４】
ステップＳ１０５において、最大値記録部２０３が、ステップＳ１０４において画素差算出部２０２が算出した各画素の隣の画素との画素差の最大値を記録する。
【００４５】
ステップＳ１０６において、画素差の算出が画像データＡの全ての領域において実行されたか否かを判定する。
【００４６】
画像データＡの全ての領域において画素差の算出が終了していない場合（Ｓ１０６−Ｎｏ）は、図４（ｄ）に示すように、全画面スキャン部２０４が最初に画素差を算出した場所から１マスシフトさせて（ステップＳ１０７）、ステップＳ１０４に移行する。全ての画像領域において画素差の算出するまでこのステップを繰り返す（Ｓ１０３〜Ｓ１０７）。
【００４７】
画像データＡの全ての領域について画素差の算出が終了している場合（Ｓ１０６−Ｙｅｓ）は、最大値記録部２０３を参照して、記録してある最大値が最小である場所を探索し、探索した場所を反復表示させたい文字情報「I’ve been to Nagoya」を表示する場所（図４（ｅ）で示すＣの領域）として決定する（ステップＳ１０８）。図４（ｅ）に示すように、探索の結果、画像データＡについては領域Ｃの場所が選択されている。
【００４８】
以上、ステップＳ１０３からＳ１０８までが、反復表示させたい文字情報を表示する位置を探索する文字表示位置算出方法を実行する処理である。
【００４９】
続けて、ステップＳ１０９において、「I’ve been to Nagoya」の文字色を選択する。この選択は、文字を表示する領域の背景色を参照して視認性の良い色を自動的に選択しても良く、また、ユーザが任意に設定をしても良い。
【００５０】
ステップＳ１１０において、図４（ｆ）に示すように、ステップＳ１０９までで決定された表示位置、文字色に従い文字「I’ve been to Nagoya」挿入して表示する。以上の動作でＥｎｄへ移行し一連の作業は終了となる。
【００５１】
このように、本実施の形態１の携帯電話端末によれば、壁紙の見栄えを損なわず文字情報を表示できる。また、モニタに別途文字情報表示のための領域を設ける必要がないので、画面を有効利用できる。また、待ち受け・壁紙表示用のアプリケーションと学習用アプリケーションのように互いに無関係のアプリケーションの情報を同時に表示させる場合であっても、主要画像の大きさや全体画像に占める割合・位置情報をアプリケーション間でやりとりする必要がないので、処理が簡略化される。
【００５２】
（実施の形態２）
図５は、実施の形態２にかかる携帯電話端末の画面表示処理部５００の概略構成図を示している。タイマー５０１が設けられている以外は実施の形態１と同じ構成であり、重複部分については説明を省略する。
【００５３】
タイマー５０１は、文字挿入部１０８が文字を表示するタイミングを制御する。例えば、一定時間おきに文字表示を行うように文字挿入部１０８に対して文字表示指示を与えたり、または、携帯電話端末のある特定の動作（例えば、折り畳み携帯電話の開閉ボタンの押下動作）が行われてから一定時間のみ文字挿入部１０８に対して文字表示指示を出力する。
【００５４】
なお、表示タイミングの種類、時間はユーザが任意に選択できる。この構成により、待ち受け・壁紙用の画像データの全体を表示画面全体に表示させる時間を設定することができるので、ユーザは待ち受け・壁紙用の画像データの全体を楽しむことができる。
【００５５】
（実施の形態３）
図６は、実施の形態３にかかる携帯電話端末の画面表示処理部６００の概略構成図を示している。アイコン情報格納部６０１、アイコン色選択部６０２、アイコン挿入部６０３および吹き出し表示部６０４が設けられている以外は実施の形態１と同じ構成であり、重複部分については説明を省略する。
【００５６】
アイコン情報格納部６０１は、図７（ａ）に示すアイコン７０１「英」のように、表示位置算出部１０６によって決定された位置に、反復表示させる文字の代わりに表示させるアイコンを格納している。例えば、アプリケーション名として、「英語学習」、アイコンとして、図７（ａ）に示すアイコン７０１「英」などを記録している。
【００５７】
アイコン色選択部６０２は、アイコン情報格納部６０１から選択されたアイコンの色を選択する。この選択は、文字を表示する領域の背景色を参照して視認性の良い色を自動的に選択しても良く、また、ユーザが任意に設定をしても良い。
【００５８】
アイコン挿入部６０３は、表示位置算出部１０６によって決定された位置にアイコン情報格納部６０１から選択されたアイコンを挿入する。
【００５９】
吹き出し表示部６０４は、図７（ｂ）に示すように、アイコンから吹き出しを出し、その吹き出し内に文字情報を表示させる。この吹き出しは、待ち受け・壁紙画面上のアイコンを選択している間、または携帯電話端末に設けられているテンキー等の入力手段のうちある特定のボタンを押している間に吹き出される。
【００６０】
この構成によれば、待ち受け・壁紙用の画像データの全体を妨げるものがアイコンであり小さな表示で済むので、画像データ全体の美観を損ねない。また、アイコンにアクセスすることで、吹き出しが表示されるので、必要なときに文字情報が表示でき、ユーザにとって便利である。
【００６１】
また、アイコンを常に表示しておくことで、リマインドの効果を保ちつつ、必要なときに反復表示データを表示する構成としてもよい。
【産業上の利用可能性】
【００６２】
本発明の情報端末機器によれば、携帯電話端末の機種毎の仕様に併せて調整する必要がなく、また、待ち受け・壁紙用の画面上に全体の美観を損ねることなく文字情報等の反復表示データを表示することができる。
【図面の簡単な説明】
【００６３】
【図１】本実施の形態１の携帯電話端末の画面表示処理部１００の概略構成図
【図２】（ａ）画素差が一定値以下である（あるいは差の最大値が最小である）場所を探索する表示位置算出部１０６の概略構成図、（ｂ）高調波成分の全体に占める割合がある一定値以下（あるいは最小）である場所を探索する表示位置算出部１０６の概略構成図
【図３】本実施の形態１の携帯電話端末の動作を説明するフローチャート
【図４】（ａ）モザイク処理前の画像データＡを示す図、（ｂ）モザイク処理後の画像データＡを示す図、（ｃ）画素差の算出を開始する領域Ｂを示す図、（ｄ）画素差の算出の対象領域がシフトしていく様子を示す図、（ｅ）表示位置として決定された領域Ｃを示す図、（ｆ）表示位置に反復表示データを挿入して表示した図
【図５】本実施の形態２の携帯電話端末の画面表示処理部５００の概略構成図
【図６】本実施の形態３の携帯電話端末の画面表示処理部６００の概略構成図
【図７】（ａ）アイコンが表示された様子を示す図、（ｂ）吹き出しが表示された様子を示す図
【符号の説明】
【００６４】
１００      画面表示処理部
１０１      画像データ格納部
１０２      反復表示データ格納部
１０３      アプリケーションプログラム実行部
１０４      壁紙表示制御部
１０５      画像選択部
１０６      表示位置算出部
１０７      文字色選択部
１０８      文字挿入部
１０９      入出力制御部
２０１      モザイク処理部
２０２      画素差算出部
２０３      最大値記録部
２０４、２０７      全画面スキャン部
２０５、２０８      探索部
２０６      高空間波数成分算出部
５０１      タイマー
６０１      アイコン情報格納部
６０２      アイコン色選択部
６０３      アイコン挿入部
６０４      吹き出し表示部
【図５】
2007034567.tif 000003
【図６】
2007034567.tif 000004
【図１】
2007034567.tif 000005
【図２】
2007034567.tif 000006
【図３】
2007034567.tif 000007
【図４】
2007034567.tif 000008
【図７】
2007034567.tif 000009